(57)【要約】      （修正有）【課題】点検などにより機器の状態が正しい状態とは異なる変更状態にあることを外部から容易に確認可能として、常に正しい機器の状態を維持可能とする。【解決手段】消火栓装置１０は、消火栓扉を備えた筐体内に、泡消火原液貯蔵槽３４、給水開閉弁を備えた給水配管２４、給水配管２４にホース２８を介して接続された泡ノズル３０、給水開閉弁を開いた時の流水に泡消火原液貯蔵槽３４の泡消火原液を混合して泡ノズル３０から消火泡を放出させる混合器２６、混合器２６に対する原液供給配管４０に設けられた原液開閉弁４２を収納し、筐体表側に設置場所を表示する表示灯２０を設けている。消火栓回路は、弁開閉検出スイッチ４６による原液開閉弁４２の開検出時に表示灯２０を点灯し、点検後の戻し忘れによる閉検出時に表示灯２０を点滅又は消灯する。【選択図】図２
2010274028.tif 000002
【特許請求の範囲】
【請求項１】
泡消火原液を貯蔵した貯蔵槽と、
加圧された消火水を供給する開閉弁を備えた給水配管と、
前記給水配管にホースを介して接続された泡ノズルと、
前記給水配管に設けられ、前記開閉弁を開いた時の流水に前記貯蔵槽の泡消火原液を混合して前記泡ノズルから消火泡を放出させる混合器と、
前記貯蔵槽から混合器に対する原液供給配管に設けられた原液開閉弁と、
を収納し、筐体表側に設置場所を表示する表示灯を設けた消火栓装置に於いて、
前記原液開閉弁の開閉を検出する弁開閉検出部と、
前記弁開閉検出部による前記原液開閉弁の開検出時に前記表示灯を点灯し、前記原液開閉弁の閉検出時に前記表示灯を点滅又は消灯する消火栓回路と、
を設けたことを特徴とする消火栓装置。
【請求項２】
請求項１記載の消火栓装置に於いて、
前記貯蔵槽は、隔膜で分離した一方の槽内に泡消火原液を収納すると共に他方の水槽内に前記混合器の１次側の給水配管から加圧開閉弁を介して分岐給水管を接続して加圧消火水を導入し、隔膜を介して貯蔵している泡消火原液を前記混合器に加圧供給する構造を備え、
更に、前記加圧開閉弁の開閉を検出する第２弁開閉検出部を設け、
前記消火栓回路は、前記弁開閉検出部による前記原液開閉弁の開検出と前記第２弁開閉検出部による前記加圧開閉弁の開検出を判定した際に前記表示灯を点灯し、少なくともいずれか１つの非検出を判定した際に前記表示灯を点滅又は消灯することを特徴とする消火栓装置。
【請求項３】
請求項１記載の消火栓装置に於いて、
更に、前記消火栓器扉の開閉を検出する消火栓扉開閉検出部を備え、
前記消火栓回路は、前記弁開閉検出部による前記原液開閉弁の開検出及び前記消火栓扉開閉部による消火栓扉の閉検出を共に判定した際に前記表示灯を点灯し、少なくともいずれか１つの非検出を判定した際に前記表示灯を点滅又は消灯することを特徴とする消火栓装置。
【請求項４】
請求項１乃至３記載の消火栓装置に於いて、前記各開閉検出部が監視する対象部材の付近それぞれに各部状態表示灯を備え、状態変化を検出した監視対象部材の付近に配置された前記各部状態表示灯を変化させることを特徴とする消火栓装置。
【請求項５】
請求項１乃至４のいずれかに記載の消火栓装置に於いて、前記各開閉検出部の検出状態を監視盤に送信することを特徴とする消火栓装置。
【発明の詳細な説明】
【技術分野】
【０００１】
本発明は、貯蔵槽の泡消火原液を加圧供給された消火用水に混合してホース付きの泡ノズルから消火泡を放出して消火する消火栓装置に関する。
【背景技術】
【０００２】
従来、油火災の消火を対象とした消火栓装置として、筐体内に泡消火原液を貯蔵した貯蔵槽を内蔵し、散水時に加圧供給された消火水に貯蔵槽の泡消火原液を混合し、ホース付きノズルから消火泡を放出するようにした消火栓装置が知られている。
【０００３】
このような消火泡を放出する消火栓装置にあっては、点検の際に消火泡を実際に放出して所定の泡消火が放射されるか放射量を測定して点検を行っている。
【先行技術文献】
【特許文献】
【０００４】
【特許文献１】特開２００５−２１８４７４号公報
【発明の概要】
【発明が解決しようとする課題】
【０００５】
しかしながら、このような従来の消火泡を放出する消火栓装置にあっては、消火泡を実際に放射して点検を行うため、点検が終了した際に、放出した消火泡は環境を配慮した適切な廃棄を行う必要があり、単純に廃棄することができない。また、点検終了したら泡消火原液を補充する必要がある。
このような作業の煩雑さを考慮して、泡消火原液の混合を防ぐため、貯蔵槽と混合器との間に設けた原液開閉弁（手動開閉弁）を閉止し、消火水のみを放水して動作を確認し、点検が終わると原液開閉弁を開放して貯蔵槽と混合器を連通状態に戻して点検を行うことが考えられる。しかし、この点検方法では、点検終了時に原液開閉弁を戻し忘れて閉止状態したままにする恐れがあり、実際の消火作業の時に消火泡が発生せず、本来の消火性能を確保できないことが考えられる。
【０００６】
本発明は、点検などにより機器の状態が正しい状態とは異なる変更状態にあることを外部から容易に確認可能として、常に正しい機器の状態を維持可能とする消火栓装置を提供することを目的とする。
【課題を解決するための手段】
【０００７】
本発明は、消火栓扉を備えた筐体内に、
泡消火原液を貯蔵した貯蔵槽と、
加圧された消火水を供給する開閉弁を備えた給水配管と、
給水配管にホースを介して接続された泡ノズルと、
給水配管に設けられ、開閉弁を開いた時の流水に貯蔵槽の泡消火原液を混合して泡ノズルから消火泡を放出させる混合器と、
貯蔵槽から混合器に対する原液供給配管に設けられた原液開閉弁と、
を収納し、筐体表側に設置場所を表示する表示灯を設けた消火栓装置に於いて、
原液開閉弁の開閉を検出する弁開閉検出部と、
開閉検出部による原液開閉弁の開検出時に表示灯を点灯し、原液開閉弁の閉検出時に表示灯を消灯又は点滅する消火栓回路と、
を設けたことを特徴とする。
【０００８】
ここで、貯蔵槽は、隔膜で分離した一方の槽内に泡消火原液を収納すると共に他方の水槽内に混合器の１次側の給水配管から加圧開閉弁を介して分岐給水管を接続して加圧消火水を導入し、隔膜を介して貯蔵している泡消火原液を混合器に加圧供給する構造を備え、
更に、加圧開閉弁の開閉を検出する第２弁開閉検出部を設け、
消火栓回路は、弁開閉検出部による原液開閉未弁の開検出と第２弁開閉検出部による加圧開閉弁の開検出を判定した際に表示灯を点灯し、少なくともいずれか１つの非検出を判定した際に表示灯を消灯又は点滅するようにしても良い。
【０００９】
また、本発明の消火栓装置は、更に、火栓器扉の開閉を検出する消火栓扉開閉検出部を備え、
消火栓回路は、弁開閉検出部による原液開閉弁の開検出及び消火栓扉開閉部による消火栓扉の閉検出を共に判定した際に表示灯を点灯し、少なくともいずれか１つの非検出を判定した際に表示灯を消灯又は点滅するようにしても良い。
【００１０】
各開閉検出部が監視する対象部材の付近それぞれに各部状態表示灯を備え、状態変化を検出した監視対象部材の付近に配置された各部状態表示灯を変化させる。更に、各開閉検出部の検出状態を監視盤に送信するようにしても良い。
【発明の効果】
【００１１】
本発明によれば、点検時に原液開閉弁を閉止したまま戻し忘れた場合には、原液開閉弁が閉止状態にあることを検出して消火栓装置に設けている表示灯を消灯又は点滅し、表示灯が点灯していないことで、内蔵している機器が正常な状態とは異なる変更された状態にあることが直ぐに分かり、閉止状態にある原液開閉弁を開放状態に戻し、これによって表示灯が点灯して内蔵機器が正しい状態にあることが確認でき、点検時に閉止した原液開閉弁の戻し忘れを確実に防止し、消火作業の時に確実に泡消火原液を混合して消火泡を放出することができる。
【図面の簡単な説明】
【００１２】
【図１】本発明による消火栓装置の実施形態を正面から示した説明図
【図２】図１について扉側を外して内部構造を示した正面図
【図３】図２の消火栓装置に設けた消火栓回路の実施形態を示した回路図
【図４】図２の消火栓装置に設けた消火栓回路の他の実施形態を示した回路図
【発明を実施するための形態】
【００１３】
図１は本発明による消火栓装置の実施形態を正面から示した説明図である。図１において、本実施形態の消火栓装置１０は、前面に開放した箱型の筐体１２の下側に開閉自在な消火栓扉１４を設けており、上部の操作表示部１６を構成するパネル上に発信機１８、赤色表示灯２０及び音響穴２２を設け、これらの機器と併せて、後の説明で明らかにする消火栓回路を構成している。
【００１４】
赤色表示灯２０は常時点灯し、消火栓装置１０の設置場所が遠方から分かるようにしている。火災時には発信機１８を押してスイッチ釦をオンすると、発信信号が監視室の火災受信機に送信されて火災警報が出され、これに伴い、消火栓装置１０においても音響穴２２の背後に配置している警報ブザーから音響警報が出される。
【００１５】
図２は図１について扉側を外して内部構造を示した正面図である。図２において、消火栓装置１０の筐体１２には上部右側より給水配管２４が引き込まれており、給水配管２４の途中には混合器２６が設けられ、混合器２６の２次側となる左側の給水管端部から下向きにホース２８を接続し、ホース２８はホースホルダ３２に手前に引き出し可能に吊り下げられており、ホース２８の先端に泡ノズル３０を装着してホースホルダ３２に着脱自在に装着している。
【００１６】
筐体１２の右下部には泡消火原液貯蔵槽３４が設置されている。泡消火原液貯蔵槽３４は内部にゴムあるいは合成樹脂膜からなる隔膜を配置して内部を２つの区分に分けており、一方の区分に消火泡原液を収納し、他方の区分に給水配管２４から分岐した分岐給水管３６の接続による加圧消火水を供給し、加圧消火水により隔膜を介して泡消火原液を加圧して、原液供給管４０から混合器２６に押し出すようにしている。
【００１７】
給水配管２４と泡消火原液貯蔵槽３４を接続する分岐給水管３６の途中には加圧開閉弁３８が設けられている。また泡消火原液貯蔵槽３４と混合器２６を接続する原液供給管４０の途中には原液開閉弁４２が設けられている。また給水配管２４における混合器２６の１次側には給水開閉弁２５が設けられている。
【００１８】
更に筐体１２の内部にはポンプ起動押釦スイッチ４４が設けられており、火災時にはポンプ起動押釦スイッチ４４を押すことで、図示しない消火ポンプ設備を起動し、給水配管２４に対し加圧した消火用水を供給することができる。
【００１９】
更に本実施形態の消火栓装置１０にあっては、原液供給管４０に設けた原液開閉弁４２に対し、原液開閉弁４２の開閉を検出する弁開閉検出器として弁開閉検出スイッチ４６を設けている。また分岐給水管３６に設けた加圧開閉弁３８に対し、第２の弁開閉検出器として機能する弁開閉検出スイッチ４８を設けている。弁開閉検出スイッチ４６，４８としては例えばリミットスイッチを使用し、弁開放でスイッチオン、弁閉鎖でスイッチオフとなる。
【００２０】
また本実施形態にあっては、筐体１２の上部左側の扉開口部内側に消火栓扉開閉検出スイッチ５０を設けている。消火栓扉開閉検出スイッチ５０としては例えばリミットスイッチが使用され、消火栓扉の閉鎖状態でスイッチオン、開放状態でスイッチオフとなる。
【００２１】
このような機器を内蔵した本実施形態の消火栓装置１０は、通常の監視状態にあっては給水配管２４に設けた給水開閉弁２５は開放状態にあり、また分岐給水管３６に設けた加圧開閉弁３８及び原液供給管４０に設けた原液開閉弁４２も、それぞれ開放状態となっている。
【００２２】
火災などによる消火の際には消火栓扉を開き、ホースホルダ３２から泡ノズル３０を取り外してホース２５を引き出しながら消火対象に向かう準備をした状態でポンプ起動押釦スイッチ４４を押すと、図示しない消火ポンプが起動され、給水配管２４に加圧消火用水が供給される。
【００２３】
給水配管２４に供給された加圧消火用水は、分岐給水管３６を通って泡消火原液貯蔵槽３４の隔膜で仕切られた一方の区画に分離されて、他方の区画に貯蔵している泡消火原液を加圧し、原液供給管４０から混合器２６に押し出し、混合器２６の流水に対し泡消火原液を所定の割合で混合し、ホース２８を介して泡消火ノズル３０から消火泡を放出させる。
【００２４】
一方、消火栓装置１０の点検の際には、分岐給水管３６に設けた加圧開閉弁３８と原液供給管４０に設けた原液開閉弁４２をそれぞれ閉止状態とし、これによって泡消火原液貯蔵槽３４から泡消火原液を出さないようにした状態で、ポンプ起動押釦スイッチ４４をオン操作して、消火ポンプの起動により給水配管２４に加圧消火用水を供給し、消火用水のみを泡ノズル３０から放出させて動作を確認する。点検が終了したならば、加圧開閉弁３８及び原液開閉弁４２も、それぞれ開放状態となる元の位置に戻すことになる。
【００２５】
図３は図２の消火栓装置に設けた消火栓回路１１の実施形態を示した回路図である。図３の消火栓回路１１には、図２に示した発信機１８のスイッチ釦の押し込みでオンする３回路の発信機スイッチ１８−１〜１８−３が設けられている。
【００２６】
発信機１８のスイッチ釦の押し込みによる発信機スイッチ１８−２のオンで信号線５５とコモン線５４間に電流を流して、発信信号を監視室の火災受信機に伝送して火災警報を出力させ、火災受信機側の動作で信号線５３とコモン線５２間に電源を供給し、発信機スイッチ１８−１がオンしていることで、警報ブザー２３を鳴動して確認応答の音響出力を出させる。
【００２７】
また信号線５６とコモン線５４の間にはポンプ起動押釦スイッチ４４が接続される。ポンプ起動押釦スイッチ４４はポンプ起動釦の押し込み操作によりオンし、信号線５６に電流を流してポンプ制御盤に対しポンプ起動信号を出力し、消火ポンプの運転を開始させる。
【００２８】
赤色表示灯２０は信号線５８とコモン線５７の間に接続され、本実施形態にあっては赤色表示灯２０と直列に、原液開閉弁の弁開閉検出スイッチ４６、加圧開閉弁の弁開閉検出スイッチ４８及び消火栓扉開閉検出スイッチ５０を直列接続している。
【００２９】
図２に示したように、通常の監視状態にあっては、加圧開閉弁３８及び原液開閉弁４２は開放状態にあり、また消火栓扉は閉鎖しているため、弁開閉検出スイッチ４６，４８及び消火栓扉検出スイッチ５０は共にオンしており、このため赤色表示灯２０は点灯している。
【００３０】
一方、点検の際に消火栓扉を開き、内部の加圧開閉弁３８及び原液開閉弁４２を閉鎖状態とした場合、消火栓扉開閉検出スイッチ５０、弁開閉検出スイッチ４６，４８はすべてオフとなり、赤色表示灯２０は消灯することになる。
【００３１】
点検を終了した場合には、図２の加圧開閉弁３８及び原液開閉弁４２を閉止状態に戻して消火栓扉を閉じることで、本来であるならば弁開閉検出スイッチ４６，４８及び消火栓扉開閉検出スイッチ５０はすべてオンとなって赤色表示灯２０が点灯するが、万一、加圧開閉弁３８や原液開閉弁４２のいずれか一方もしくは両方を開放状態に戻し忘れたような場合、消火栓扉を閉じても、弁開閉検出スイッチ４６，４８のいずれか一方もしくは両方がオフとなっているため赤色表示灯２０は点灯しない。
【００３２】
したがって、点検終了後に赤色表示灯２０が点いていないことで加圧開閉弁３８及びまたは原液開閉弁４２の開放状態への戻し忘れに直ちに気がつき、開放状態に戻して消火栓扉を閉じると、赤色表示灯２０が点灯することで、正常な状態に戻ったことを確認できる。
【００３３】
一方、消火栓装置１０に設けた赤色表示灯２０の消灯の原因は、弁開閉検出スイッチ４６，４８及び消火栓扉開閉検出スイッチ５０がオフした以外に、赤色表示灯２０の球切れがある。このような赤色表示灯２０の球切れについては、消火栓装置１０に設けている発信機１８のスイッチ釦を押すことにより、図３の弁開閉検出スイッチ４６，４８及び消火栓扉開閉検出スイッチ５０の直列回路に対し並列接続した回路に設けている発信機スイッチ１８−３がオンし、このとき赤色表示灯２０が点灯しなければ球切れであることが分かり、赤色表示灯２０の電球を交換すればよい。
【００３４】
また発信機１８のスイッチ釦を押して赤色表示灯２０の球切れを確認する以外に、弁開閉検出スイッチ４６，４８及び消火栓扉開閉検出スイッチ５０を同時にオン操作することで、球切れの確認を行うようにしてもよい。また発信機スイッチ１８−３の代わりに球切れ確認専用の確認スイッチを設けるようにしてもよい。
【００３５】
図４は図２の消火栓装置に設けた消火栓回路の他の実施形態を示した回路図である。図４の消火栓回路にあっては、泡消火原液貯蔵槽３４に対する分岐給水管３６に設けた加圧開閉弁３８に設けている弁開閉検出スイッチ４８を取り除き、原液開閉弁４２についてのみ弁開閉検出スイッチ４６を設けた場合の消火栓回路１１を示している。
【００３６】
即ち図２の消火栓装置１０の点検の際には、泡消火原液貯蔵槽３４から泡消火原液を出さないようにするためには、原液開閉弁４２を閉鎖するだけで十分であり、加圧開閉弁３８については開放状態のままであってもよい。このような点検操作の場合には、加圧開閉弁３８に対し弁開閉検出スイッチ４８を設ける必要はなく、原液開閉弁４２に対してのみ弁開閉検出スイッチ４６を設ければよい。
【００３７】
これに対応した図４の消火栓回路１１にあっては、赤色表示灯２０と直列に原液開閉弁４２の弁開閉検出スイッチ４６と消火栓扉開閉検出スイッチ路５０を直列接続しており、図３の実施形態に示した加圧開閉弁３８に設けた弁開閉検出スイッチ４８を除いた回路としている。それ以外の点は図３の実施形態と同じである。
【００３８】
点検終了後に原液開閉弁４２の開放状態への戻し忘れをしたまま消火栓扉を閉じた場合には、弁開閉検出スイッチ４６のオフにより赤色表示灯が消灯していることで、原液開閉弁４２の戻し忘れを直ちに知って正常な開放状態に戻すことができる。
【００３９】
なお、上記の実施形態にあっては、消火栓装置側の赤色表示灯の点灯状態の切り替えによって加圧開閉弁３８、原液開閉弁４２の開放状態への戻し忘れの有無を確認できるようにしているが、例えば図３の弁開閉検出スイッチ４６，４８及び消火栓扉開閉検出スイッチ５０の２回路のスイッチとし、信号線５８とは別の信号線に３つの検出スイッチを直列接続し、弁の戻し忘れや扉開放状態を示す信号を監視室の火災受信機に送信して表示させてもよい。この点は図４の実施形態についても同様である。また監視室に状態を送信する場合には、加圧開閉弁、原液開閉弁、消火栓扉のどの機器の状態が異常なのかを送信して詳細な表示を行うようにしてもよい。消火栓装置に音響部材を備えて戻し忘れの有無を確認できるように、発信機操作の警報音よりも小さい音量で注意報知を行っても良い。
【００４０】
どの監視対象部材が通常状態から変化したのか部材を特定できるように、監視対象部材毎に表示灯を監視対象部材の付近に設けて、赤色表示灯の代表状態表示に加えて、通常状態でない対象部材の表示灯を点灯させるようにしても良い。
【００４１】
また、上記実施形態においては泡消火原液貯蔵槽が消火栓筐体内にホース等と一緒に内蔵されているが、これに限らず、ホースを収納する収納部とは別空間に配置しても良い。
【００４２】
また、上記実施形態においては、点灯か消灯の切替で弁の状態を表示するようにしているが、消灯の代わりに点滅表示させて、通常状態ではないことを注意喚起するようにしても良い。
【００４３】
また、本発明はビル等に設置される消火栓やトンネル内に設置される消火栓に適用することができる。
【００４４】
また本発明は、その目的と利点を損なうことのない適宜の変形を含み、更に上記の実施形態に示した数値による限定は受けない。
【符号の説明】
【００４５】
１０：消火栓装置
１１：消火栓回路
１２：筐体
１４：消火栓扉
１６：操作表示部
１８：発信機
２０：赤色表示灯
２２：音響孔
２３：警報ブザー
２４：給水配管
２５：給水開閉弁
２６：混合器
２８：ホース
３０：泡ノズル
３２：ホースホルダー
３４：泡消火原液貯蔵槽
３６：分岐給水管
３８：加圧開閉弁
４０：原液供給管
４２：原液開閉弁
４４：ポンプ起動押釦スイッチ
４６，４８：弁開閉検出スイッチ
５０：消火栓扉開閉検出スイッチ
【図１】
2010274028.tif 000003
【図２】
2010274028.tif 000004
【図３】
2010274028.tif 000005
【図４】
2010274028.tif 000006